(57)【要約】【課題】  遊技機の制御基板を収容する基板ケースにおいて不正な開放を効果的に防止し、また不正開放の事実を迅速に発見可能とすることで、被害をできるだけ抑える等の遊技機用基板ケースを提供する。【解決手段】  四角筒状の角筒部と直方体の拡幅部とからなる接続部材（４００）を介してケース蓋（３００）とケース基体（２００）とを離脱不能に係合し制御基板（ＭＣＢ）を収容する。ケース基体に接続部材の拡幅部を保持する保持手段（２１０）を設け、ケース蓋に接続部材の角筒部を挿入し係合させる有底角筒状の開口部（３１０）と、当該開口部及び保持手段を囲繞する枠部（３１９）を設けた。これにより、カッターを用いた不正行為を効果的に防止し、仮に接続部材が破壊されたとしてもその痕跡が甚大となり、不正の事実が発見され易くなる。【選択図】  図６
2006255121.tif 000002
【特許請求の範囲】
【請求項１】
遊技機の筐体内に設けられ、所要の電子部品を装備した制御回路基板を相対向して収容する正面側のケース蓋、及び背面側のケース基体と、前記ケース蓋及びケース基体とを離脱不能に係合接続する接続部材とを備える遊技機用基板ケースであって、
前記接続部材は、少なくとも一の外周面に係合凸部を有する角筒形状の角筒部と、該角筒部の底面に連接し該角筒部の外径よりも拡幅するとともに該角筒部の一側面方向を長手方向とする直方体形状の拡幅部とから形成され、
前記ケース基体には、前記長手方向を当該ケース基体の側壁に対し直交する方向に一致させて当該接続部材の拡幅部を保持する保持部が設けられ、
前記ケース蓋には、前記角筒部を挿入可能とすべくその形状に整合して開口し、挿入された前記角筒部の前記係合凸部と係合する係合凹部が内壁に形成される開口部と、当該開口部及び前記保持部とを囲繞する枠部が設けられていることを特徴とする遊技機用基板ケース。
【発明の詳細な説明】
【技術分野】
【０００１】
本発明は、スロットマシン等の遊技機の制御に用いる制御基板を収容するための基板ケースに関し、更に詳しくは、基板ケースの不正な開放を困難にし、また仮に不正開放された場合でもその事実を容易に発見できるようにして、制御基板に対する不正行為を効果的に防止する等の遊技機用基板ケースに関する。
【背景技術】
【０００２】
スロットマシンやパチンコ機等の遊技機においては、入賞役の抽選、図柄表示制御等のゲームの出玉に関する制御をメイン制御基板と呼ばれる制御基板により行なっている。また、近年、メイン制御基板の他に、出玉に関する実質的な制御をサブ制御基板と呼ばれる制御基板により行うものもある。
【０００３】
そして、このような遊技機において、メイン制御基板またはサブ制御基板の制御プログラムを記憶するＲＯＭを不正なものに交換したり、外部から制御基板に対し不正な信号を付与等することにより、本来とは異なる適正ではない遊技を実行させるといった不正行為が問題となっている。そこで、メイン制御基板等の制御基板を外部から目視可能な透明なケース基体とケース蓋とからなる基板ケースに収容し、これらを容易には開放できないようにして制御基板に対する不正なアクセスを防止する技術が知られている。
【０００４】
例えば、特許文献１には、互いに対向する円筒容器状の開口部をケース基体とケース蓋とにそれぞれ形成し、各開口部内に接続部材を挿入して閉塞することにより、接続部材の両端側に形成した係合凸部と各開口部内の係合凹部とが係合し、どちらかの開口部を基板ケースから切り離さない限りケース基体とケース蓋とを離脱不能とする、いわゆる「カシメ」と呼ばれる不正開放防止手段が開示されている。
【０００５】
特許文献１に開示された、かかる不正開放防止手段を備える従来の基板ケースの構造を図１の斜視図と図２の断面図とを参照して説明する。図１に示される基板ケースは、スロットマシンのメイン制御基板を収容して筐体内に設けられるもので、透明な樹脂で成形されたケース基体９００とケース蓋９１０とから構成されている。ケース基体９００とケース蓋９１０とは、それぞれのヒンジ軸９０１とヒンジ軸受９１１とが嵌合することで開閉可能に接続され、また、互いに対向して開口する円筒容器状の開口部９０２、９１２のペアが４カ所に形成されている。メイン制御基板（不図示）を収容する際には、上述の開口部の何れかのペアに接続部材９２０を挿入してケース蓋９１０をケース基体９００側に閉じ、ケース基体９００の弾性係止アーム９０３の先端に形成した係止孔９０３ａをケース蓋９１０側の係止突起９１３に係止させることで、ケース蓋９１０とケース基体９００とを離脱不能に密閉封止する。
【０００６】
図２（ａ）は、従来の不正開放防止手段の構造を表した縦断面図である。同図に示されるように、ケース基体９００の下側壁面には連結部９０４を介して開口部９０２が延設され、開口部９０２の内壁の一部には係合凹部９０２ａが形成されている。また、ケース蓋９１０の下側壁面には、ケース基体側の開口部９０２に対向する同様の開口部９１２が延設され、その内壁に係合凹部９１２ａが形成されている。
【０００７】
接続部材９２０は中空の略円筒形状に形成されるもので、それぞれの両端には、上記開口部９０２、９１２の係合凹部９０２ａ、９１２ａと係合する弾性変形可能な係合凸部９２１が形成されている。ケース蓋９１０がケース基体９００に閉じた状態では、それぞれの開口部９０２、９１２に挿入された接続部材９２０の係合凸部９２１と各開口部の係合凹部９０２ａ、９１２ａとが内部で係合するため、一旦、接続部材９２０を介して係合した開口部同士は離脱不能の状態で接続される。
【０００８】
なお、制御基板の動作チェック等するために基板ケースを開放して制御基板を取り出す場合があるが、その際には正面に位置するケース蓋９１０側の連結部９１４をニッパー等の工具で切断し開口部９１２をケース蓋９１０本体から切り離すことにより、ケース蓋９１０とケース基体９００との封止状態を解除して基板ケースを開放している。すなわち、開口部９１２が切り離された痕跡により、基板ケースが一度開放された事実を示す客観的な履歴として残すことができ、また仮に基板ケースが不正に開放された場合でも、その切り離された痕跡を正面から容易に視認することができ、これにより不正開放の事実を迅速に発見できるよう意図されている。
【０００９】
【特許文献１】特開２００４−２０９２３８号公報
【発明の開示】
【発明が解決しようとする課題】
【００１０】
ところが、近年、不正の痕跡が判らないように基板ケースが不当に開放され、制御基板の改造等の不正行為の発見が遅れるといった問題が生じてきている。例えば図２（ｂ）に示されるように、基板ケースの背後からドリルを用いてケース基体９００の開口部９０２に孔を開け、ここから棒などを挿入して接続部材９２０の係合状態を解除したり、ケース蓋９１０の開口部９１２とケース基体９００の開口部９０２とが嵌合する境界部分をカッター等を用いて切断したりすることで、開口部９１２を切り離すことなくケース蓋９１０を不当に開放してしまうという新たな手法による不正行為がされる場合がある。
【００１１】
このような手法でケース蓋９１０が開放されると、制御基板を不正に改造した後に接続部材９２０をそのまま元の開口部９０２に戻すことができるに加え、その不正行為が行われた孔などの痕跡が正面から見え難いために、その発見が遅れ被害を甚大にしてしまうといった問題が生じている。
【００１２】
本発明は、こうした従来の問題に鑑みてなされたものであり、遊技機の制御基板を収容する基板ケースにおいて不正な開放を効果的に防止し、仮に不正な方法で開放されたとしてもその事実を容易または迅速に発見できるようにすることで、かかる不正行為による被害をできるだけ抑える等の遊技機用基板ケースを提供することを目的としている。
【課題を解決するための手段】
【００１３】
上述した課題を解決するため、請求項１に記載の発明は、遊技機の筐体内に設けられ、所要の電子部品を装備した制御回路基板を相対向して収容する正面側のケース蓋、及び背面側のケース基体と、前記ケース蓋及びケース基体とを離脱不能に係合接続する接続部材とを備える遊技機用基板ケースであって、前記接続部材は、少なくとも一の外周面に係合凸部を有する角筒形状の角筒部と、該角筒部の底面に連接し該角筒部の外径よりも拡幅するとともに該角筒部の一側面方向を長手方向とする直方体形状の拡幅部とから形成され、前記ケース基体には、前記長手方向を当該ケース基体の側壁に対し直交する方向に一致させて当該接続部材の拡幅部を保持する保持部が設けられ、前記ケース蓋には、前記角筒部を挿入可能とすべくその形状に整合して開口し、挿入された前記角筒部の前記係合凸部と係合する係合凹部が内壁に形成される開口部と、当該開口部及び前記保持部とを囲繞する枠部が設けられていることを特徴とする。
【００１４】
請求項１に記載の遊技機用基板ケースによれば、所要の電子部品を装備した制御回路基板をケース蓋を正面側にケース基体を背面側にして相対向して収容する際に、ケース基体に設けた保持部により接続部材の拡幅部を保持し、ケース蓋に設けた開口部に接続部材の角筒部を挿入する。このとき、接続部材の角筒部の係合凸部と開口部の係合凹部とが開口部内で係合するため、ケース蓋とケース基体とは離脱不能に係合接続される。また、ケース蓋に設けた枠部が上記開口部及び保持部を囲繞するため、これら係合手段（開口部、保持部及び接続部材）に対する不正なアクセスを効果的に防御する。更には、ケース基体に設けた保持部は、接続部材の拡幅部を当該ケース基体の側壁から内部方向にかけ比較的長い領域を設けて保持しているので、この保持状態を不正に解除することは困難となる。したがって、従来課題としてあった、例えばカッターやドリル等を用いた不正行為の完遂を防止することができ、また仮に接続部材を破壊して開放する等の不正行為がされたとしても、その破壊痕跡も甚大となるので、かかる不正の事実を容易または迅速に発見することができる。
【発明の効果】
【００１５】
上述したように本発明の遊技機用基板ケースによれば、係合凸部を有する角筒形状の角筒部と、該角筒部の底面に連接し該角筒部の外径よりも拡幅するとともに該角筒部の一側面方向を長手方向とする直方体形状の拡幅部とから形成される接続部材を介して、ケース蓋とケース基体とを離脱不能に係合接続し、制御回路基板を収容する。ケース蓋に設けた上記角筒部が挿入され係合する開口部と、ケース基体に設けた上記拡幅部を保持する保持部とを囲繞する枠部を設けたので、これら係合手段（開口部、保持部及び接続部材）に対する不正なアクセスを効果的に防御することができる。
【００１６】
また、ケース基体の保持部は、接続部材の拡幅部の長手方向を当該ケース基体の側壁に直交する方向に一致させて当該拡幅部を保持するため、比較的長い保持領域が設けられ、これらのことから従来課題としてあった例えばカッターやドリル等を用いてこの保持状態を解除することは困難となる。このため、かかる不正行為の完遂を防止し、また仮に接続部材を破壊して開放する等の不正行為がされたとしても、その破壊痕跡も甚大となる。したがって、不正の事実を容易または迅速に発見することができ、また被害をできるだけ抑えることができる。
【発明を実施するための最良の形態】
【００１７】
以下、本発明の好適な実施形態を図面に基づいて説明する。まず、本発明の基板ケースを備える遊技機としてスロットマシンを例にその概略構成を説明する。ここで、図３はスロットマシンの外観を表す正面図、図４はスロットマシンの前扉を開放してその内部の構造を表した図である。
【００１８】
始めに、図３を参照してスロットマシンＳＭの外観構造を説明する。スロットマシンＳＭは、いわゆるフロントパネルを形成する前扉ＦＤが略矩形状の箱体である筐体（ＭＢ）に対し開閉可能に取り付けられている。前扉ＦＤは、視覚効果を高めてデザインされた上部パネル部ＵＰと下部パネル部ＬＰとに概ね区分けされるが、これらは硬質プラスチックにより一体的に形成されている。また、前扉ＦＤの下部には、メダルを貯留するための受皿部が形成された受皿ユニットＴＵが設けられている。
【００１９】
上部パネル部ＵＰの周縁部分には、高輝度の発光ダイオードを内蔵する上部ランプＵＬ及びサイドランプＳＬが配置されている。また、スピーカを内蔵し遊技に係る効果音を発生させる演出用放音部ＳＡＬ、ＳＡＲが上部パネル部ＵＰの左右にそれぞれ配置されている。また、演出用放音部ＳＡＬ、ＳＡＲの間には、遊技の演出に係る映像を主に表示する演出表示装置としての液晶表示ユニットＦＰＤが配置されている。
【００２０】
更に上部パネル部ＵＰには平板状のパネル面を有するパネルユニットＰＵが取り付けられ、その中央に略長方形の透明な表示窓ＦＷが形成されている。表示窓ＦＷを通して目視されるリールＲ１、Ｒ２、Ｒ３は、それぞれ円筒形状を有して独立して回転可能であり、筐体内において軸方向に３個配列されている。遊技者は、各リールＲ１、Ｒ２、Ｒ３の外周面に配置した複数種類の図柄のうち、縦３個、横３列の図柄を表示窓ＦＷを通して目視することができる。
【００２１】
上部パネル部ＵＰと下部パネル部ＬＰとの間には、遊技操作を行うためのスイッチ類が配置された操作卓ＯＰＴが一体的に形成されている。操作卓ＯＰＴには、メダルを投入するための投入口を有するメダル投入部ＭＤと、ベットボタンＢＥＴと、スタートレバーＳＴＬと、ストップボタンＳＴＢ１、ＳＴＢ２、ＳＴＢ３がそれぞれ配設されている。
【００２２】
ベットボタンＢＥＴは、スロットマシンの１ゲームに賭けるメダルの枚数を提示するためのボタンスイッチである。スロットマシンＳＭは、何れかのベットボタンＢＥＴが押圧操作されることにより当該ゲームにメダルが賭けられ、スタートレバーＳＴＬが傾倒操作されるとリールＲ１、Ｒ２、Ｒ３を一斉に回転させる。このときスロットマシンＳＭは、入賞の抽選を内部的な処理で行う。そして、各ストップボタンＳＴＢ１、ＳＴＢ２、ＳＴＢ３が押圧操作されることで、対応するリールＲ１、Ｒ２、Ｒ３をそれぞれ停止させる。全てのリールが停止し、表示窓ＦＷに設定される有効ライン上に表示した図柄の組合せが上述の内部抽選により当選した入賞に係る組合せと一致した場合、当該入賞が確定する。
【００２３】
下部パネル部ＬＰには、スロットマシンＳＭのモデルタイプを遊技者へ認識させる等のため、登場キャラクターの絵などを表示する表示パネルＤＰが設けられている。下部パネル部ＬＰの下側に配置される受皿ユニットＴＵには、入賞時等においてメダルを受皿部に排出するメダル払出口ＭＥＸと、スピーカを内蔵し演出効果音を発生させる演出用放音部ＳＡＢがそれぞれ配置されている。
【００２４】
次に、図４を参照してスロットマシンＳＭの内部構造を説明する。筐体ＭＢ内の背板上部には、スロットマシンＳＭの全体動作を統括して制御するメイン制御基板ＭＣＢを基板ケース１００に収容するメイン制御基板アッセンブリＭＣＡが取り付けられている。メイン制御基板ＭＣＢは、ＭＰＵ、ＲＯＭ、ＲＡＭ等を含むマイコンをベースに形成された制御回路基板であり、透明なプラスチックケースである本発明に関わる基板ケース１００に収容されている。
【００２５】
筐体ＭＢ内の中央には、リールＲ１、Ｒ２、Ｒ３を備えるリールユニットＲＵが設けられている。リールユニットＲＵは、前扉ＦＤが筐体ＭＢ側に閉じられるとパネルユニットＰＵに形成された表示窓ＦＷにリールＲ１、Ｒ２、Ｒ３が対向するように、筐体ＭＢ内の所定の高さに固定されたフレームに位置決めされて取り付けられている。なお、各リールＲ１、Ｒ２、Ｒ３は、それぞれの中心軸に連結するステッピングモータによって回転駆動される。リールユニットＲＵの上部には、各ステッピングモータへ４相の駆動パルス信号を送出する図示しない回胴装置基板が取り付けられており、メイン制御基板ＭＣＢが回胴装置基板に回胴駆動（励磁）パルスデータを送出することで、各リールの回転と制動及び停止の制御を行っている。
【００２６】
リールユニットＲＵの下方には、メダル投入部ＭＤから投入されたメダルを貯留し、入賞の配当の際にメダル排出口ＭＥＸからメダルを排出するホッパ装置ＨＰＵと、ホッパ装置ＨＰＵから溢れたメダルを収容するための補助貯留部ＭＳＴと、スロットマシンＳＭに内蔵される各機器へ電力を配電する主電源装置ＰＷＵとが設けられている。
【００２７】
前扉ＦＤの裏面上部には、上述の演出用放音部ＳＡＬ、ＳＡＲに対向してスピーカＳＰＬ、ＳＰＲが取り付けられている。また、図４には示していないが、スピーカＳＰＬ、ＳＰＲの間に、液晶表示ユニットＦＰＤが取り付けられ、液晶表示ユニットの裏面側に当該液晶表示ユニット等を制御駆動するサブ制御基板ＳＣＢが透明な基板ケースに収容されて取り付けられている。サブ制御基板ＳＣＢは、液晶表示ユニットＦＰＤによる演出映像の表示制御、上部ランプＵＬ及びサイドランプＳＬ等を使った照明制御、更には演出用放音部ＳＡＬ、ＳＡＲ、ＳＡＢを使った演出効果音制御など、ゲームの演出に係る制御を主に行う。
【００２８】
サブ制御基板ＳＣＢの下方には、前面にリールＲ１、Ｒ２、Ｒ３を目視させるための透明な表示窓ＦＷを有するパネルユニットＰＵが取り付けられる。パネルユニットＰＵの裏面側には、リールＲ１、Ｒ２、Ｒ３の外周面を照射して図柄を明るく表示させるための冷陰極蛍光ランプＣＦＬと、スタートレバーＳＴＬ及びストップボタンＳＴＢ１、ＳＴＢ２、ＳＴＢ３等の操作スイッチ類の出力信号をメイン制御基板ＭＣＢへ転送する中継基板として機能する中央表示基板ＣＤＢとを備え、これらがユニット化されて形成されている。
【００２９】
パネルユニットＰＵの下方には、メダル選別装置ＭＳＵが取り付けられている。メダル選別装置ＭＳＵは、メダル投入部ＭＤに投入されたメダルの適否を判別し振り分ける装置である。また、メダル選別装置ＭＳＵに内蔵されるメダルセンサはメダル投入部ＭＤに投入された正規のメダルを検出し、その検出信号をメイン制御基板ＭＣＢへ送出する。
【００３０】
メダル選別装置ＭＳＵの下方には、これによって選別された正規のメダルをホッパ装置ＨＰＵへ案内するガイド部材Ｇ１と、メダル選別装置ＭＳＵにより排除されたメダル（または異物）をメダル排出口ＭＥＸへ案内するガイド部材Ｇ２が設けられている。また、前扉ＦＤの裏面下部には、ホッパ装置ＨＰＵの排出口から排出されたメダルをメダル排出口ＭＥＸへ案内するガイド部材Ｇ３が設けられている。更に、メダル排出口ＭＥＸに隣接して、上述した演出用放音部ＳＡＢに対向するスピーカＳＰＢが取り付けられている。
【００３１】
かかる構成のスロットマシンＳＭは、先のゲームにおいて入賞しメダルの払い出しが完了した時、又は先のゲームにおいてハズレが確定すると待機状態となる。この待機状態においてベットボタンＢＥＴを押圧操作することで、内部に貯留したメダル（クレジット）から当該ゲームにメダルが賭けられゲーム開始の状態となる。ゲーム開始の状態でスタートレバーＳＴＬが傾倒操作されると、メイン制御基板ＭＣＢは、３個のリールＲ１、Ｒ２、Ｒ３を一斉に回転させる。同時に入賞役を内部抽選し、その結果をフラグ（内部抽選フラグ）に記憶する。
【００３２】
次に、遊技者がストップボタンＳＴＢ１、ＳＴＢ２、ＳＴＢ３を任意の順番で押圧操作すると、メイン制御基板ＭＣＢは、それに従い順次対応するリールを停止させる。そして、全てのリールＲ１、Ｒ２、Ｒ３が停止したことを検知すると、各リールが表示する図柄と上述のフラグに対応する入賞役に係る図柄の組合せとが一致しているかどうか判定する。当選した入賞役に係る図柄が有効ラインに揃って表示され入賞が確定すると、当該入賞役の種類に応じて予め決められた配当数のメダルをクレジット数に加算し、またクレジットするメダルの枚数が上限値を超える場合には、ホッパ装置ＨＰＵを駆動して相当数のメダルを受皿ユニットＴＵの受皿部へ払い出すことで、遊技者に入賞メダルを配当する。
【００３３】
次に、かかるスロットマシンＳＭのメイン制御基板ＭＣＢを収容する基板ケース１００、及びそれを用いたメイン制御基板アッセンブリＭＣＡについて説明する。ここで、図５はメイン制御基板アッセンブリＭＣＡの外観を表す斜視図、図６はその構成を表した分解斜視図、図７は基板ケース１００を背後から見た分解斜視図である。
【００３４】
これらの図を参照し、メイン制御基板アッセンブリＭＣＡは、メイン制御基板ＭＣＢと、互いに対向しメイン制御基板ＭＣＢを挟むようにして収容するケース基体２００及びケース蓋３００とを備えている。なお、基板ケース１００は、ケース基体２００とケース蓋３００とから構成され、またメイン制御基板アッセンブリＭＣＡは、左右一対のブラケット部材ＢＲａ、ＢＲｂを介し、ケース基体２００を背面側にケース蓋３００を正面側に配置して筐体ＭＢの背板内側に取り付けられる。
【００３５】
図６において左側に位置する第１のブラケット部材ＢＲａは、基板ケース１００の背面に対向してこれを保持する平板部１０と、平板部１０の左縁に沿い前方へ立設する側壁部１１と、平板部１０の下縁から前方へ立設する支持台部１２とを主に有して、これらが硬質のプラスチックで一体的に形成されている。また、平板部１０には、遊技機の筐体ＭＢ（図４参照）の背板に取り付け固定するための取付ボルトを挿通させるボルト孔１０ａが所定の位置に適宜数形成されている。また、側壁部１１の内側には基板ケース１００のケース蓋３００の側部に形成される嵌合突起３０６（図７参照）を嵌合させ基板ケース１００を安定して保持するための嵌合凹部１１ａが上下２カ所に形成されている。
【００３６】
図６において右側に位置する第２のブラケット部材ＢＲｂは、第１のブラケット部材ＢＲａと同様に硬質のプラスチックで一体的に形成されるもので、基板ケース１００の背面に対向する平板部２０と、平板部２０の右縁に立設する側壁部２１と、側壁部２１の内方に形成される段部２１ａと、段部２１ａに植設され前方に延びる円柱状の２本の支持柱部２３と、平板部２０の下縁から前方へ立設する支持台部２２と、平板部２０の側壁部２１に近接する位置に形成される複数（例えば４個）の円筒開口部２４と、平板部２０の上縁から前方に延び先端に係止突起２５ａが形成された弾性変形可能な係止アーム２５とを主に有している。
【００３７】
ブラケット部材ＢＲｂの円筒開口部２４は、メイン制御基板アッセンブリＭＣＡを離脱不能に装着する係合手段としての不正離脱防止手段の一方を構成するもので、後述する円筒状の接続部材５００が挿入されその係合凸部（５０２、５０４）を係合させる係合凹部（２４ａ）が円筒容器の内壁に形成されている。また、平板部２０には、第１のブラケット部材ＢＲａと同様の取り付け用のボルト孔２０ａが適宜の箇所に形成されている。
【００３８】
なお、第１及び第２のブラケット部材ＢＲａ、ＢＲｂの平板部１０、２０を面一に連続させて一体形成し、１つのブラケット部材によりメイン制御基板アッセンブリＭＣＡを取り付ける構造であってもよい。
【００３９】
次に、基板ケース１００の一方を構成するケース基体２００は、正面側が開放する略矩形箱体の形状を有して透明なプラスチックにより一体形成したものである。そして、リブが形成された底板２０３に不図示のネジを介してメイン制御基板ＭＣＢを固定する（図６参照）。
【００４０】
ケース基体２００の下側壁２０４には、ケース蓋３００と揺動可能にヒンジ接続するためのヒンジ軸受２０１が所定間隔をおいて３箇所に形成されている（図６参照）。なお、より詳細には、ケース基体２００の下側壁２０４は、底板２０３の下辺端よりも若干内方にずれて形成され、下側に開放する弧状のヒンジ軸受２０１が底板２０３の下辺端よりも上方へ奥まった位置にそれぞれ形成されている。
【００４１】
また、ケース基体２００の上側壁両端には、先端に係止孔２０２ａを有し上下に弾性変形可能な係止アーム２０２が形成されている。
【００４２】
更に、ケース基体２００の上側壁には、ケース蓋３００を離脱不能に係合させるための角形の接続部材４００を保持する２箇所の接続部材保持部２１０（不正開放防止手段）と、円筒状の接続部材５００が挿入されてケース蓋３００を係合させる有底円筒容器状の円筒開口部２４０と、予備の接続部材５００を格納しておくための円筒容器開口部２５０とがそれぞれ形成されている。なお、ケース基体２００とケース蓋３００とは、主として角形の接続部材４００を介して離脱不能に係合されるが、円筒開口部２４０に円筒状の接続部材５００を挿入しても補助的にケース部材同士を係合することができるようになっている。
【００４３】
基板ケース１００の他方を構成するケース蓋３００は、背面側が開放する略矩形箱体の形状を有し、透明なプラスチックにより一体形成したものである。ケース蓋３００の下側部分は、外壁３０２と内壁３０７とによる二重壁の構造となっており、内壁３０７の端辺にはケース基体２００のヒンジ軸受２０１と位置整合してヒンジ軸３０１が複数形成されている（図７参照）。基板ケース１００を組み立てる際には、ケース基体２００のヒンジ軸受２０１にケース蓋３００のヒンジ軸３０１を所定範囲内の角度で嵌め込むことで、ケース蓋３００とケース基体２００とが開閉揺動自在に接続される。
【００４４】
ケース蓋３００の上側壁両端には係止突起３０３がそれぞれ形成されている。ケース蓋３００をケース基体２００側に揺動して閉じ、ケース基体２００の係止アーム２０２を弾性変形させてその係止孔２０２ａを係止突起３０３に係止させることにより、ケース部材同士の閉塞状態が保持されるようになっている。
【００４５】
また、ケース蓋３００の上側壁には、接続部材４００の角筒部４１０を挿入可能として四角形に開口する、有底の角筒開口部３１０が２箇所にそれぞれ連結部３１２を介して形成されている（不正開放防止手段）。なお、詳細は後述するが、角筒開口部３１０の内壁には、挿入された接続部材４００の角筒部４１０の係合凸部４１２と係合し得る係合凹部３１１が形成されている。
【００４６】
更に、ケース蓋３００の上側壁には、ケース基体２００側の円筒開口部２４０と対向し接続部材５００を介して補助的に係合するための円筒開口部３４０と、同じくケース基体２００側の円筒容器開口部２５０に対向して予備の接続部材５００を格納するための円筒容器開口部３５０とがそれぞれ連結部３４２、３５２を介して形成されている。
【００４７】
そして、ケース蓋３００がケース基体２００に閉じた際、接続部材保持部２１０と角筒開口部３１０とを共に含めて囲繞する囲枠部３１９と、円筒開口部２４０、３４０を囲繞する囲枠部３４９と、円筒容器開口部２５０、３５０を囲繞する囲枠部３５９とが、それぞれケース蓋３００の上側壁に形成されている。
【００４８】
すなわち、囲枠部３１９は、角筒開口部３１０の外縁に倣い所定の間隙をおいて角筒開口部を囲む外郭枠としてケース蓋３００に形成されるもので、接続部材保持部２１０に対向する側が開口となっており、ケース蓋３００がケース基体２００に閉じた際には、接続部材保持部２１０がこの開口を通して角筒開口部と係合し、これにより角筒開口部３１０と接続部材保持部２１０とを含む不正開放防止手段（係合手段）を囲繞する形態を有することとなる。囲枠部３１９により、不正開放防止手段に対する外部からの不正なアクセスを防御し、例えばカッター等を用いて係合状態を破壊する等の不正行為を困難にする。
【００４９】
同様に、円筒開口部２４０、３４０を囲繞する囲枠部３４９、及び円筒容器開口部２５０、３５０を囲繞する囲枠部３５９も、これら開口部に対する外部からの不正なアクセスを防御するために形成されている。
【００５０】
また、メイン制御基板アッセンブリＭＣＡがブラケット部材ＢＲａ、ＢＲｂに取り付けられる際、ブラケット部材ＢＲｂの円筒開口部２４と対向して開口する円筒開口部３３０がケース蓋３００の側壁に連結部３３３を介してそれぞれ形成されている（不正離脱防止手段）。
【００５１】
ケース蓋３００の上記の円筒開口部３３０が形成される側には、これら円筒開口部３３０を囲む矩形枠部３０４が形成されている。また、矩形枠部３０４の上側端に、ブラケット部材ＢＲｂの係止アーム２５を係止させる係止突起３０８が形成されている。また、円筒開口部３３０が形成される反対側のケース蓋３００側壁には、嵌合突起３０６が上下２箇所に形成されている。ケース蓋３００にはこれらの他に、メイン制御基板ＭＣＢに実装され他の制御回路基板及び内蔵機器等をハーネスを介して電気的に接続するためのコネクタを挿通させるコネクタ挿通孔３６１、３６２、３６３が対応する位置にそれぞれ形成されている。
【００５２】
メイン制御基板アッセンブリＭＣＡの組み立ては、メイン制御基板ＭＣＢをケース基体２００にビスにより装着し、またケース基体２００のヒンジ軸受２０１にケース蓋３００のヒンジ軸３０１を所定範囲の角度で嵌め込むことでケース蓋３００とケース基体２００とが開閉揺動自在に接続される。そして、ケース蓋３００を閉じると、図５に示されるように、ケース基体２００側の係止アーム２０２の係止孔２０２ａとケース蓋３００側の係止突起３０３とが係合する。このとき、ケース基体２００とケース蓋３００とは、それぞれの周壁の端部同士が密着して嵌合するため、メイン制御基板ＭＣＢをケース外部から針金などを使って不正にアクセスすることができなくなる。
【００５３】
更に、ケース基体２００にケース蓋３００を閉じただけでは係止アーム２０２がその弾性変形力により係止突起３０３と係止しているだけであり、これら係止状態を解除すれば容易に開放できる状態にある。そこで、ケース基体２００の一方、または両方の接続部材保持部２１０に接続部材４００を挿着し、これを介してケース蓋３００の角筒開口部３１０と係合接続することにより、ケース基体２００とケース蓋３００とを離脱不能に接続して、容易には開放できない状態でメイン制御基板ＭＣＢを収容している。
【００５４】
かかる基板ケース部材同士を離脱不能に係合する係合手段としての不正開放防止手段について以下詳細に説明する。ここで、図８は上述の接続部材４００の外観斜視図、図９はケース基体２００の接続部材保持部２１０を拡大して表す正面図、図１０は図９における接続部材保持部２１０の縦断面図、図１１は図９における接続部材保持部２１０の横断面図である。
【００５５】
まず、図８を参照し、接続部材４００は、四角筒状の角筒部４１０と、角筒部４１０の底部に連接し当該角筒部４１０の軸線とは直交する一の方向（図面では上下方向）を長手方向とする略直方体形状の拡幅部４２０とを有して、これらが硬質のプラスチックで一体的に形成されている。角筒部４１０は、中空で四角形の筒体４１１からなり、筒体４１１の上下の面には、一辺を残すコの字状の溝４１３によって画成され、夫々上下に突出する係合凸部４１２が形成されている。係合凸部４１２は、角筒部４１０の被挿入側にテーパ（端から拡幅部４２０方向に次第に外方へ突出する斜面）を有し、またコの字状の溝４１３により筒体４１１の内部に向けて弾性変形可能となっている。
【００５６】
拡幅部４２０は、角筒部４１０の左右方向の幅に比して拡幅された寸法を有し、更にその長手方向は角筒部４１０の一辺よりも長く形成されている。なお図８に示されるように、拡幅部４２０の前面であって、角筒部４１０を挟む左右の拡幅された領域面を、ここでは「拡幅面」４２１と呼んでいる。
【００５７】
図９（ａ）は接続部材４００を挿着する前の接続部材保持部２１０を拡大して示し、また図１０（ａ）は、図９（ａ）に示すＡｖ−Ａｖ線に沿う縦断面を示し、図１１（ａ）は、図９（ａ）に示すＡｈ−Ａｈ線に沿う横断面を示している。これらの図面を参照し、接続部材保持部２１０は、ケースの上側壁から内部へかけて（図９及び図１０においては上下方向に沿って）互いに対向する一対の案内壁部２１２と、案内壁部２１２の前方端、すなわち図示しないケース蓋（３００）を臨む側の各案内壁部２１２の端から互いに対向するようにほぼ直角に折れ、それぞれ内方へ突出する係止凸部２１１とを有して形成されている。
【００５８】
接続部材保持部２１０は、上述の接続部材４００を所定の位置及び姿勢で保持できるよう、接続部材４００との相互の関係において各部の寸法形状が定められている。すなわち、上述の一対の案内壁部２１２は、接続部材４００の拡幅部４２０の幅に相当する間隔で平行し、また係止凸部２１１は、ケース基体２００の内方において開放するとともに、各係止凸部２１１の突出する長さが接続部材４００の拡幅面４２１の幅に相当している。なお、接続部材保持部２１０へ接続部材４００を挿入するための挿入口２１３が、ケース基体２００の内部において、案内壁部２１２の端部に形成されている。
【００５９】
ケース蓋３００を離脱不能に係合する際には、まず接続部材４００が接続部材保持部２１０に挿着される。ここで、図９（ｂ）は接続部材４００がケース蓋の角筒開口部（３１０）と係合可能な所定位置に挿着された状態の、接続部材保持部２１０の正面外観を示し、また図１０（ｂ）は、図９（ｂ）に示すＢｖ−Ｂｖ線に沿う縦断面、図１１（ｂ）は、図９（ｂ）に示すＢｈ−Ｂｈ線に沿う横断面を示している。これらの図に示されるように、接続部材４００を接続部材保持部２１０へ挿着するには、接続部材４００の拡幅部４２０をその長手方向に沿ってケース基体２００の内方から各案内壁部２１２の間（挿入口２１３）に挿入し、係合部４１０を各係止凸部２１１の隙間から突出させた状態でケース基体２００の上側壁へとスライド移動させる。このとき、拡幅部４２０の両側面が各案内壁部２１２に挟持され摺接案内されることで、接続部材４００はその姿勢（向き）を維持しながら上方の所定の位置までスライドされる。
【００６０】
接続部材保持部２１０において接続部材４００が所定位置に挿着された状態では、案内壁部２１２の内方へせり出した係止凸部２１１に接続部材４００の拡幅面４２１が当接するため、接続部材４００は、ケース蓋３００が離脱する方向への移動が規制されて抜け止めされた状態にある。
【００６１】
次に、上述の不正開放防止手段のもう一方の構成要素である、ケース蓋３００側の角筒開口部３１０の詳細を説明する。ここで、図１２（ａ）はケース基体２００の接続部材保持部２１０とこれに対向する角筒開口部３１０の縦断面図、図１２（ｂ）は接続部材４００を介して係合接続された状態を表す、接続部材保持部２１０と角筒開口部３１０の縦断面図である。
【００６２】
角筒開口部３１０は、上述したように接続部材４００の角筒部４１０を挿入及び嵌合可能とすべく、角筒部４１０の寸法形状に整合して四角形の開口を有する容器状に形成され、ニッパー等の工具を用いて切断され得る連結部３１２を介してケース蓋３００の本体に接続している。また、角筒開口部３１０の内壁には、角筒部４１０の係合凸部４１２と係合し得る拡径した段部である係合凹部３１１が上下２箇所に形成されている。また、角筒開口部３１０の外縁を囲むように、ケース蓋３００の上側壁に囲枠部３１９が延設されている。
【００６３】
図１２（ｂ）に示されるように、ケース蓋３００がケース基体２００に閉じると、接続部材４００の角筒部４１０がケース蓋３００の角筒開口部３１０に挿入する。接続部材４００の係合凸部４１２は、一旦、角筒部４１０の側面に倣うように内側に弾性変形し、係合凹部３１１に到達したとき元の突出状態に戻って当該係合凹部３１１に係合する。一方、ケース基体２００側において接続部材４００は、その拡幅部４２０が接続部材保持部２１０の係止凸部２１１に当接して抜け止めされている。このように、不正開放防止手段は、接続部材４００を介してケース基体２００及びケース蓋３００の内部で係合し接続するので、一度この係合状態になるとこれら基板ケース部材同士を離脱することができなくなる。
【００６４】
かかる基板ケース部材同士を接続する不正開放防止手段によれば、連結部３１２を切断して角筒開口部３１０をケース蓋３００本体から切り離さない限り、ケース蓋３００とケース基体２００とを開放することができないようになっている。逆に言えば、メイン制御基板ＭＣＢの動作チェック等のために基板ケース１００を開放する場合には、連結部３１２を切断して角筒開口部３１０をケース本体から切り離すことが意図されている。すなわち連結部３１２の状態を見れば、基板ケース１００が開放されたか否かを容易に確認することができるようになっている。
【００６５】
また、従来の不正開放防止手段（図２参照）にあっては、背後側に位置する基板ケース部材（９００）に設けた開口部（９０２）に孔を開け、ここから不正にアクセスして接続部材（９２０）の係合状態を解除してしまう不正行為が行われる場合があり、またこのような手法で不正開放がされた場合、その痕跡を発見しにくいといった問題があった。これに対し、本実施形態の不正開放防止手段においては、四角筒状の角筒部４１０と、角筒部４１０よりも拡幅する略直方体の拡幅部４２０とを有して接続部材４００を形成し、ケース基体２００側において、拡幅部４２０の長手方向をケース基体２００の上側壁に対して直交する姿勢で拡幅部４２０の両端を係止することにより、接続部材４００を抜け止め不可に保持している。すなわち、接続部材保持部２１０は、ケース基体２００の上側壁からケース内部方向にかけ比較的長い係止領域を設けて接続部材４００の拡幅部４２０を保持しているので、例えばドリルを用いて不正に係止状態を解除しようとしても、ケース基体２００の奥まで完全に破壊しなければ係止状態を解除することができない。
【００６６】
また、角筒開口部３１０と接続部材保持部２１０とを囲繞する囲枠部３１９をケース蓋３００に設けたことにより、不正開放防止手段に対する外部からの不正なアクセスを防御し、カッターまたはドリル等を用いて係合状態を破壊する等の不正行為を更に困難にする。
【００６７】
更には、仮にこの係止状態が解除されるまで不正開放防止手段を破壊したとすれば、その破壊痕跡も甚大となるので、かかる不正行為の事実を容易または迅速に発見でき、これによる被害を最少限に抑えることができる。
【００６８】
次に、メイン制御基板アッセンブリＭＣＡをブラケット部材ＢＲａ、ＢＲｂを介して筐体ＭＢ内に離脱不能に取り付ける不正離脱防止手段について説明する。ここで、図１３はこの不正離脱防止手段に用いる接続部材５００の外観斜視図、図１４はブラケット部材ＢＲｂの円筒開口部２４と、これに対向するケース蓋３００側の円筒開口部３３０との構造を主に表す横断面図である。
【００６９】
図１３を参照し、接続部材５００は中空で円筒状の筒体５０１を有し、筒体５０１の両端には所定幅の切欠き溝である回転規制溝５０６、５０７が形成され、また筒体５０１のそれぞれの端近傍には、一辺を残すコの字状の溝５０３、５０５によって画成され径外方向に突出する係合凸部５０２、５０４がそれぞれ一対ずつ形成されている。
【００７０】
係合凸部５０２、５０４は、筒体５０１のそれぞれの端から中央に向かって次第に外方へ突出する斜面を有し、またコの字状の溝５０３、５０５により筒体５０１の内側に向けて弾性変形可能となっている。更に、係合凸部５０２、５０４は、それぞれの端側から見て反時計回り方向の角部が斜めに切り欠かれたテーパ面５０２ａ、５０４ａを有している。
【００７１】
なお、接続部材５００の両端に形成されている各回転規制溝５０６、５０７、及び各係合凸部５０２、５０４は、筒体５０１の円筒軸を中心に約９０度位相をずらした位置関係にある。
【００７２】
次に図１４を参照し、ブラケット部材ＢＲｂの平板部２０に形成される円筒開口部２４は、円筒の容器形状を有し、その内壁には、接続部材５００の一方の端部が挿入された際その係合凸部５０４（または係合凸部５０２）を係合させる係合凹部２４ａが、対向する２箇所に拡径した段部として形成されている。また、円筒開口部２４の底部内壁に突起部２４ｂが２箇所形成されている。
【００７３】
ケース蓋３００側の円筒開口部３３０は、ブラケット部材ＢＲｂに向けて開口する有底の円筒容器状を有し、連結部３３３を介してケース蓋３００の本体と繋がっている。円筒開口部３３０の内壁には対向する２箇所に係合凹部３３１が形成され、また円筒開口部３３０の底部内壁には突起部３３２が２箇所に対向して形成されている。
【００７４】
メイン制御基板ＭＣＢを収容して組み立てられたメイン制御基板アッセンブリＭＣＡを、ブラケット部材ＢＲａ、ＢＲｂを介して離脱不能に装着する手順は以下の通りである。ここで、ブラケット部材ＢＲａ、ＢＲｂは、図示しない取付ボルトをボルト孔１０ａ、２０ａに挿通し遊技機の筐体背板に締着することで、予め固定されている。
【００７５】
まず、ブラケット部材ＢＲｂに形成されている何れかの円筒開口部２４に接続部材４００の一方の端部を挿入する。このとき係合凸部５０４は、一旦、筒体の内側に弾性変形した後、元の突出状態に戻って係合凹部２４ａに係合し円筒開口部２４に嵌り込む。一方、ケース蓋３００の側壁に形成された嵌合突起３０６（図７参照）をブラケット部材ＢＲａの嵌合凹部１１ａ（図６参照）に適度な角度で嵌合させながらケース本体をブラケット部材側へ倒し、矩形枠部３０４の支持孔３０５に支持柱部２３を挿通させる。このとき、ブラケット部材ＢＲｂの円筒開口部２４に挿入されている接続部材４００の他方の端部が、対向するケース蓋３００の円筒開口部３３０に挿入され、その係合凸部５０２が円筒開口部３３０の係合凹部３３１に係合して嵌り込む。これにより、メイン制御基板アッセンブリＭＣＡは、ブラケット部材ＢＲｂに対し離脱不能に取り付けられる。なお、接続部材５００をケース蓋３００の円筒開口部３３０に先に嵌合させてからメイン制御基板アッセンブリＭＣＡをブラケット部材ＢＲａ、ＢＲｂに装着してもよい。
【００７６】
メイン制御基板アッセンブリＭＣＡの基板ケース本体は、ブラケット部材ＢＲａの平板部１０、側壁部１１、支持台部１２、及びブラケット部材ＢＲｂの平板部２０、段部２１ａに支持され、またブラケット部材ＢＲｂの係止アーム２５の係止突起２５ａとケース蓋３００上端の係止突起３０８とが係止することにより、ブラケット部材ＢＲａ、ＢＲｂに対し安定して装着される（図５参照）。また、ブラケット部材ＢＲａ、ＢＲｂを筐体に固定するボルト孔１０ａ、２０ａはケース基体２００の背面で塞がれるため、ケース基体２００を取り外さない限りブラケット部材ＢＲａ、ＢＲｂごとメイン制御基板アッセンブリＭＣＡが遊技機の筐体から奪取されることもない。
【００７７】
なお、メイン制御基板ＭＣＢの検査等するためにメイン制御基板アッセンブリＭＣＡを筐体から取り外す場合には、接続部材５００が挿入された円筒開口部３３０の連結部３３３を切断し当該円筒開口部を切り離すことにより、基板ケース１００をブラケット部材ＢＲｂから離脱することが可能となる。また、連結部３３３の切断状態を見れば、メイン制御基板アッセンブリＭＣＡが筐体から取り外された経歴があるか否かを確認することができる。
【００７８】
例えば、遊技機を工場出荷するときには、複数の円筒開口部２４、３３０のうち最も下に位置する円筒開口部に接続部材５００が挿入されてメイン制御基板アッセンブリＭＣＡが係合接続されている。そして、パチンコホール等の遊技店に遊技機を設置後メイン制御基板ＭＣＢを検査する際には、ニッパー等の工具を用いて連結部３３３を切断し、当該円筒開口部３３０をブラケット部材ＢＲｂ側に残したままメイン制御基板アッセンブリＭＣＡを筐体から取り外す。
【００７９】
検査をした後、メイン制御基板アッセンブリＭＣＡをブラケット部材ＢＲａ、ＢＲｂに再び戻して装着するには、未使用の円筒開口部２４、３３０に接続部材５００を挿入して係合接続する。この際、円筒容器開口部２５０、３５０（図６参照）に格納しておいた予備の接続部材５００を用いてもよいが、接続機能を失った使用済みの円筒開口部３３０から接続部材５００を取り出して再使用してもよい。
【００８０】
すなわち、ブラケット部材ＢＲｂ側に残された円筒開口部３３０を反時計回りに回転させると、接続部材５００のテーパ面５０２ａ（または５０４ａ）が円筒開口部３３０（または２４）の係合凹部３３１（または２４ａ）側段部に当接し弾性変形して半径中心方向に引込むため、これらの係合状態が解除される。この状態では切り離された円筒開口部３３０を円筒開口部２４から引き抜くことができ、内部の接続部材５００を取り出すことができるようになっている。
【００８１】
なお、ケース蓋３００の各円筒開口部３３０には、下から例えばＡ、Ｂ、Ｃ、Ｄと順にアルファベット文字の識別符号が付与されており、その符号が各円筒開口部に隣接してケース蓋３００の前面に刻印されている。そして、上述したようにメイン制御基板アッセンブリＭＣＡを取り外して検査をする際、再係合した円筒開口部３３０の識別符号と、検査日、検査担当者名、検査結果等の検査履歴をケース蓋３００に貼り付けられた検査シートに書き込んで管理している。
【００８２】
上述したように、スロットマシンＳＭ等の遊技機に設けられる本実施形態の基板ケース１００によれば、四角筒状の角筒部４１０と、該角筒部よりも拡幅する略直方体の拡幅部４２０とからなる接続部材４００を介し、ケース基体２００とケース蓋３００とを離脱不能に係合接続する不正開放防止手段を備えることにより、不正な開放を効果的に防止し、仮に不正な方法で開放されたとしてもその事実を容易または迅速に発見することができる。
【００８３】
すなわち、ケース基体２００に設けた接続部材保持部２１０は、ケース基体２００の内部方向にかけて比較的長い係止領域を設けて接続部材４００の拡幅部４２０を係止し保持するため、ケース背後から例えばドリル等を用いて拡幅部４２０を破壊し不正に係止状態を解除しようとしても、ケース基体２００の奥まで完全に破壊しなければならない。
【００８４】
また、角筒開口部３１０と接続部材保持部２１０とを囲繞する囲枠部３１９をケース蓋３００に設けたことにより、不正開放防止手段に対する外部からの不正なアクセスを防御し、かかる不正行為の完遂を更に困難にする。
【００８５】
また、仮にこの係止状態が解除されるまで不正開放防止手段を破壊したとすればその破壊痕跡も甚大となるので、かかる不正行為の事実を容易または迅速に発見でき、不正行為による被害を抑えることができる。
【００８６】
なお、本発明に関わる基板ケース１００は、スロットマシンのメイン制御基板の用途のみならず、演出を主に司るサブ制御基板等の他の制御回路基板を収容するものであってもよい。また、パチンコ機、じゃん球遊技機等のマイコンにより動作する他の遊技機に搭載される制御回路基板にも適用が可能である。
【図面の簡単な説明】
【００８７】
【図１】図１は従来例による基板ケースの構造を表した分解斜視図である。
【図２】図２（ａ）は従来例による基板ケースの不正開放防止手段の構造を表した縦断面図である。図２（ｂ）は従来の不正開放防止手段の縦断面図であって、本発明が解決しようとする課題を説明するための図である。
【図３】図３は本発明の一実施形態によるスロットマシンの外観を表す正面図である。
【図４】図４は本発明の一実施形態によるスロットマシンの前扉を開放して筐体内の構造を表す正面図である。
【図５】図５は本発明の一実施形態によるメイン制御基板アッセンブリの外観を表す斜視図である。
【図６】図６は本発明の一実施形態によるメイン制御基板アッセンブリの構成を表す分解斜視図である。
【図７】図７は本発明の一実施形態による基板ケースを背後から見た分解斜視図である。
【図８】図８は本発明の一実施形態による不正開放防止手段に用いる接続部材の外観斜視図である。
【図９】図９は本発明の一実施形態による不正開放防止手段の接続部材保持部を拡大して表す正面図である。
【図１０】図１０は本発明の一実施形態による不正開放防止手段の接続部材保持部の縦断面図である。
【図１１】図１１は本発明の一実施形態による不正開放防止手段の接続部材保持部の横断面図である。
【図１２】図１２は本発明の一実施形態による不正開放防止手段の縦断面図である。
【図１３】図１３は本発明の一実施形態による不正離脱防止手段に用いる接続部材の外観斜視図である。
【図１４】図１４は本発明の一実施形態による不正離脱防止手段の横断面図である。
【符号の説明】
【００８８】
ＳＭ…スロットマシン、
ＦＤ…前扉、  ＭＢ…筐体、
ＵＰ…上部パネル部、  ＬＰ…下部パネル部、
ＴＵ…受皿ユニット、  ＵＬ…上部ランプ、  ＳＬ…サイドランプ、
ＳＡＬ、ＳＡＲ、ＳＡＢ…演出用放音部、  ＦＰＤ…液晶表示ユニット、
ＰＵ…パネルユニット、  ＦＷ…表示窓、
ＲＵ…リールユニット、  Ｒ１、Ｒ２、Ｒ３…リール、
ＯＰＴ…操作卓、  ＳＴＬ…スタートレバー、
ＳＴＢ１、ＳＴＢ２、ＳＴＢ３…ストップボタン、  ＭＥＸ…メダル払出口、
ＭＣＢ…メイン制御基板、  ＭＣＡ…メイン制御基板アッセンブリ、
ＨＰＵ…ホッパ装置、  ＳＣＢ…サブ制御基板、
ＣＦＬ…冷陰極蛍光ランプ、  ＣＤＢ…中央表示基板、
ＭＳＵ…メダル選別装置、  Ｇ１、Ｇ２、Ｇ３…ガイド部材、
ＳＰＲ、ＳＰＬ、ＳＰＢ…スピーカ、
ＢＲａ、ＢＲｂ…ブラケット部材、
１０…平板部、  １０ａ…ボルト孔、
１１…側壁部、  １１ａ…嵌合凹部、  １２…支持台部、
２０…平板部、  ２０ａ…ボルト孔、  ２１…側壁部、  ２１ａ…段部、
２２…支持台部、  ２３…支持柱部、
２４…円筒開口部、  ２４ａ…係合凹部、  ２４ｂ…突起部、
２５…係止アーム、  ２５ａ…係止突起、
１００…基板ケース、
２００…ケース基体、
２０１…ヒンジ軸受、  ２０２…係止アーム、  ２０２ａ…係止孔、
２０３…底板、  ２０４…下側壁、
２１０…接続部材保持部、  ２１１…係止凸部、  ２１２…案内壁部、  ２１３…挿入口、
２４０…円筒開口部、  ２５０…円筒容器開口部、
３００…ケース蓋、
３０１…ヒンジ軸、  ３０２…外壁、  ３０３…係止突起、  ３０４…矩形枠部、
３０５…支持孔、  ３０６…嵌合突起、  ３０７…内壁、  ３０８…係止突起、
３１０…角筒開口部、  ３１１…係合凹部、  ３１２…連結部、  ３１９…囲枠部、
３３０…円筒開口部、
３３１…係合凹部、  ３３２…突起部、  ３３３…連結部、
３４０…円筒開口部、  ３４２…連結部、  ３４９…囲枠部、
３５０…円筒容器開口部、  ３５２…連結部、  ３５９…囲枠部、
３６１、３６２、３６３…コネクタ挿通孔、
４００…接続部材、
４１０…角筒部、  ４１１…筒体、  ４１２…係合凸部、  ４１３…溝、
４２０…拡幅部、  ４２１…拡幅面、
５００…接続部材、
５０１…筒体、  ５０２…係合凸部、  ５０２ａ…テーパ面、  ５０３…溝、
５０４…係合凸部、  ５０４ａ…テーパ面、  ５０５…溝、  ５０６、５０７…回転規制溝、
９００…ケース基体、
９０１…ヒンジ軸、  ９０２…開口部、  ９０２ａ…係合凹部、
９０３…弾性係止アーム、  ９０３ａ…係止孔、  ９０４…連結部、
９１０…ケース蓋  ９１１…ヒンジ軸受、  ９１２…開口部、  ９１２ａ…係合凹部、
９１３…係止突起、  ９１４…連結部、
９２０…接続部材、  ９２１…係合凸部
【図１】
2006255121.tif 000003
【図２】
2006255121.tif 000004
【図３】
2006255121.tif 000005
【図４】
2006255121.tif 000006
【図５】
2006255121.tif 000007
【図６】
2006255121.tif 000008
【図７】
2006255121.tif 000009
【図８】
2006255121.tif 000010
【図９】
2006255121.tif 000011
【図１０】
2006255121.tif 000012
【図１１】
2006255121.tif 000013
【図１２】
2006255121.tif 000014
【図１３】
2006255121.tif 000015
【図１４】
2006255121.tif 000016